(57)【特許請求の範囲】
【請求項１】
左右一対の不織布シートを接合して形成されたマスク本体と、このマスク本体の両側部に設けられた耳掛け部とを具備し、装着時に前記マスク本体が左右に開かれて前記不織布シートの接合部が前方へと突出する立体型マスクであって、
前記マスク本体の不織布シートの上部には、折り目部を介して前記マスク本体の裏面側へと折り返された折り返し片の少なくとも一部がそれぞれ接合され、
これら折り返し片は、左右に互いに連接され、前記マスク本体の左右への開き動作に連動して前記マスク本体の裏面側から前記折り目部にて立ち上がるように形成された
ことを特徴とした立体型マスク。
【請求項２】
マスク本体と折り返し片との接合部は、折り目部に沿ってこれら折り返し片の長手方向の全長に対して少なくとも５０％以上の長さで熱溶着され、
前記折り返し片の連接部は、少なくとも５ｍｍ以上形成された
ことを特徴とした請求項１記載の立体型マスク。
【請求項３】
折り返し片は、マスク本体の閉じ動作に連動してこのマスク本体の裏面側へと折り返されて収納される
ことを特徴とした請求項１または２記載の立体型マスク。
【請求項４】
各折り返し片には、伸縮性を有する弾性部材が上縁部に沿ってそれぞれ配設されている
ことを特徴とした請求項１ないし３いずれか一記載の立体型マスク。
【請求項５】
各折り返し片には、伸縮性を有する交差弾性部材が折り目部と交差してそれぞれ配設されている
ことを特徴とした請求項１ないし４いずれか一記載の立体型マスク。
【発明の詳細な説明】
【技術分野】
【０００１】
本発明は、装着者の鼻孔および口元を覆う立体型マスクに関する。
【背景技術】
【０００２】
従来、左右一対の不織布シートを連接し、装着時にマスク本体の不織布シートの連接部が前方に突出して嘴状を呈する立体型マスクがある。このような立体型マスクは、装着者の鼻筋への密着性を考慮し、マスク本体の不織布シートの連接部の上端部が装着者の鼻筋に沿うように傾斜し、この上縁部から両側部の耳掛け部に亘る各不織布シートの上縁が、耳掛け部に向かって下方へと傾斜している。
【０００３】
このため、このような立体型マスクは、装着時に連接部の上端部が装着者の鼻筋に強く密着し、各不織布シートの上縁部が強く引っ張られた状態となるため、この上縁部は装着者の頬部分から離間され、装着者の鼻の両側とマスク本体との間に隙間が生じるおそれがある。
【０００４】
そして、このように生じた隙間からは、花粉あるいは塵などのアレルゲン物質が侵入しやすくなるだけでなく、装着者が眼鏡を使用している場合には、呼気がこの隙間から出て眼鏡を曇らせる場合があり、眼鏡を使用する装着者にとっては、煩わしく感じることがある。
【０００５】
そこで、マスク本体と装着者の鼻の両側部分との密着性を向上した立体型マスクがあり、マスク本体の中央上部に、中央部が山形状に形成された鼻部閉塞片を一体的に設け、この鼻部閉塞片をマスク本体の裏面側に折り曲げた状態で両端部をマスク本体に熱溶着し、マスク装着時に装着者が鼻部閉塞片の山形状の中央部を捲ることにより、この捲れ部により装着者の鼻を弾性的に覆うものが知られている（例えば、特許文献１参照。）。
【０００６】
また、口元および鼻部にそれぞれ対応するように前面へと膨出する形状に保形されたマスク本体の裏面上縁部に、鼻およびその左右両側の頬の一部に密着する起伏面が形成されたスポンジ部材を貼着して、マスク本体の上縁部と装着者の鼻および左右両側の頬の一部との間の隙間を閉塞するものもある（例えば、特許文献２参照。）。
【０００７】
さらに、マスク本体の装着者の鼻部に当接する部分に、可撓性を有する金属製の板状の保形部材を設け、マスク本体と装着者の鼻部との密着面を大きくして、マスク本体と装着者の顔面との隙間を閉塞するものもある（例えば、特許文献３参照。）。
【０００８】
そして、マスク本体の裏面に、通気性素材シートからなる立体ギャザ形状の補助片を取り付け、マスク本体と装着者の頬との隙間および顔面の鼻の両側部分の凹部からなる隙間を閉塞するものもある（例えば、特許文献４参照。）。
【０００９】
また、マスク本体の裏面に、マスク本体の上縁を装着者の鼻の両側および頬面に密着させるための粘着部を設け、この粘着部により、マスク本体の上縁と装着者の鼻の両側および頬面の間の隙間を閉塞するものもある（例えば、特許文献５参照。）。
【特許文献１】実開昭６０−６５４７号公報（第２−５頁、第１−４図）
【特許文献２】実開昭６２−１３０６５５号公報（第４−５頁、第１−３図）
【特許文献３】登録実用新案第３０２１２２０号公報（第５−６頁、図１）
【特許文献４】特開平１０−１５０９１号公報（第２−３頁、図１−３）
【特許文献５】特開２００４−３１３２９３号公報（第４頁、図１−４）
【発明の開示】
【発明が解決しようとする課題】
【００１０】
しかしながら、上述の特許文献１に記載された立体型マスクでは、捲れ部が装着者の鼻筋を跨ぐ構成であるため、捲れ部の鼻筋部分と捲れ部の基端部であるマスク本体との溶着部分との間で、捲れ部が引っ張られた状態となるため、装着者の鼻の両側とマスク本体との隙間は、依然としてなくならず、効果的であるとはいい難い。また、マスク本体に取り付けられた捲れ部を装着者が装着時に自ら折り返す必要があるため、その煩わしさがある。
【００１１】
また、特許文献２に記載された立体型マスクでも、装着者の鼻の両側の窪みに沿った、ある程度厚みがあるスポンジ部材が必要となり、使い捨ての立体型マスクに適用することは、製造コストの面から勘案して適当な構成であるとはいい難い。
【００１２】
さらに、特許文献３に記載された立体型マスクでも、金属製の保形材を用いる構成であるため、使い捨ての不織布製立体型マスクなどに適用すると、金属製の保形材が付いたままの廃棄に問題があり、また、製造コストの面からも、適当な構成であるとはいい難い。
【００１３】
そして、特許文献４に記載された立体型マスクでも、比較的厚みが薄い使い捨ての不織布製立体型マスクなどに適用すると、立体ギャザを取り付けた部分に皺が寄ってしまい、使用前のマスク外観が悪化する可能性があり、マスク本体がある程度の厚みのあるガーゼ素材などからなるマスクに対して用いることが適当であると考えられる。
【００１４】
また、特許文献５に記載された立体型マスクでも、手法としては簡単であるものの、装着によっては粘着部に違和感を覚えるおそれがあり、必ずしも良い方法であるとはいえない。
【００１５】
このように、上記各特許文献に記載された立体型マスクは、不織布シートからなる使い捨ての立体型マスクに用いて、マスク本体の上縁と装着者の鼻の両側および頬面の間の隙間を閉塞するのに適しているとはいえない。
【００１６】
本発明は、このような点に鑑みなされたもので、良好な装着性を得ることができ、装着者の鼻の両側部分および頬部分との間に隙間を生じにくく、使い勝手に優れた立体型マスクを提供することを目的とする。
【課題を解決するための手段】
【００１７】
請求項１記載の立体型マスクは、左右一対の不織布シートを接合して形成されたマスク本体と、このマスク本体の両側部に設けられた耳掛け部とを具備し、装着時に前記マスク本体が左右に開かれて前記不織布シートの接合部が前方へと突出する立体型マスクであって、前記マスク本体の不織布シートの上部には、折り目部を介して前記マスク本体の裏面側へと折り返された折り返し片の少なくとも一部がそれぞれ接合され、これら折り返し片は、左右に互いに連接され、前記マスク本体の左右への開き動作に連動して前記マスク本体の裏面側から前記折り目部にて立ち上がるように形成されたものである。
【００１８】
請求項２記載の立体型マスクは、請求項１記載の立体型マスクにおいて、マスク本体と折り返し片との接合部は、折り目部に沿ってこれら折り返し片の長手方向の全長に対して少なくとも５０％以上の長さで熱溶着され、前記折り返し片の連接部は、少なくとも５ｍｍ以上形成されたものである。
【００１９】
請求項３記載の立体型マスクは、請求項１または２記載の立体型マスクにおいて、折り返し片は、マスク本体の閉じ動作に連動してこのマスク本体の裏面側へと折り返されて収納されるものである。
【００２０】
請求項４記載の立体型マスクは、請求項１ないし３いずれか一記載の立体型マスクにおいて、各折り返し片には、伸縮性を有する弾性部材が上縁部に沿ってそれぞれ配設されているものである。
【００２１】
請求項５記載の立体型マスクは、請求項１ないし４いずれか一記載の立体型マスクにおいて、各折り返し片には、伸縮性を有する交差弾性部材が折り目部と交差してそれぞれ配設されているものである。
【発明の効果】
【００２２】
請求項１記載の発明によれば、マスク本体を形成する左右一対の不織布シートの上部に、折り目部を介してマスク本体の裏面側へと折り返された折り返し片の少なくとも一部をそれぞれ接合し、これら折り返し片を左右に連接するとともに、マスク本体の左右への開き動作に連動してマスク本体の裏面側から折り目部にて折り返し片が立ち上がるように形成することで、立ち上がった折り返し片が装着者の鼻の両側部分および頬部分に密着し、良好な装着感を得ることができ、装着者の鼻の両側部分および頬部分との間に隙間を生じにくいとともに、装着者が折り返し片をマスク本体の開き動作と別個に立ち上がらせる手間などが必要ないなど、使い勝手が良好になる。
【００２３】
請求項２記載の発明によれば、マスク本体と折り返し片との接合部を、折り目部に沿ってこれら折り返し片の長手方向の全長に対して少なくとも５０％以上の長さで熱溶着するとともに、折り返し片の連接部を少なくとも５ｍｍ以上形成することで、折り返し片を確実に立ち上がらせることができる。
【００２４】
請求項３記載の発明によれば、マスク本体を閉じると、折り返し片が連動してマスク本体の裏面側へと折り返されて収納されるため、装着者が折り返し片をマスク本体の裏面側に折り返す手間がかからず、使い勝手が向上する。
【００２５】
請求項４記載の発明によれば、各折り返し片の上縁部に沿って弾性部材を配設することで、この弾性部材の収縮により折り返し片が襞状に形成され、装着者の鼻の両側部分への密着性をより向上できる。
【００２６】
請求項５記載の発明によれば、各折り返し片に、折り目部と交差して交差弾性部材を設けることで、この交差弾性部材の収縮により折り返し片の交差弾性部材の取り付け部分が装着者側へと引き付けられ、装着者の鼻の両側部分への密着性をより向上できるとともに、マスク本体を閉じた際に、折り返し片がそれぞれマスク本体の裏面側へと確実に折り返される。
【発明を実施するための最良の形態】
【００２７】
以下、本発明の第１の実施の形態の立体型マスクの構成を図１ないし図７を参照して説明する。
【００２８】
図１ないし図７において、１は使い捨ての立体型マスクを示し、この立体型マスク１は、左右に横長のマスク本体２と、このマスク本体２の外側縁に接合されてマスク本体２の両側部に形成された耳掛け部３とを備えている。
【００２９】
マスク本体２は、左右一対の不織布シート５，５の内側縁を互いに接合して形成され、左右中央部にその接合部６が上下方向に沿って形成されているとともに、各不織布シート５，５のそれぞれの上部に、互いに内側縁にて連接しマスク本体２の裏面側へと折り目部７，７を介して折り返された折り返し片８，８を形成するように折り返し片接合部９，９が設けられている。そして、このマスク本体２は、装着時に左右に開くことで接合部６を含む接合部６の周辺が前方へと突出して立体状に形成されるとともに、装着前にはマスク本体２の裏面側に隠れていた折り返し片８，８がマスク本体２の裏面から所定の立ち上がり角度θにそれぞれ立ち上がるように構成されている。
【００３０】
各不織布シート５は、それぞれ通気性を有する比較的薄手のものである。
【００３１】
接合部６は、例えば熱溶着などにより構成され、上下方向に略直線状となっている。
【００３２】
各折り返し片８は、マスク本体２を構成する各不織布シート５，５の一部により構成されている。また、これら折り返し片８の各折り返し片接合部９と反対の縁部は、両側部から連接部11へと直線状に傾斜して設けられ、マスク本体２に対して立ち上がった状態で互いの連接部11へと下降する正面視略Ｖ字状を呈している。
【００３３】
さらに、各折り返し片８の立ち上がり角度θは、折り返し片８，８とマスク本体２との接合条件、すなわち折り返し片接合部９，９の長さと折り目部７，７から折り返し片接合部９，９までの距離と、折り返し片８，８の連接部11の長さなどにより総合的に決定されるものであり、約１２０度以上となるように設定することが好ましく、それより小さいと、立体型マスク１を装着する際に、折り返し片８，８の上縁部が装着者の顔面に当接し、折り返し片８，８がマスク本体２の裏面に倒れてしまい、折り返し片８，８の効果が得られないおそれがある。
【００３４】
各折り返し片接合部９は、各不織布シート５，５の上縁部と折り返し片８，８との間の折り目部７，７の近傍、本実施の形態では折り目部７，７から約３ｍｍ以内の部分、例えば２〜３ｍｍ離間された部分に形成されている。
【００３５】
これら折り返し片接合部９は、各折り目部７に沿って折り返し片８の長手方向である左右方向全域に、すなわち折り返し片８の左右両側から連接部11に亘って連続して線状に熱溶着されていることが望ましい。
【００３６】
各耳掛け部３は、装着者Ｐの一対の耳Ｅ，Ｅにそれぞれ係合させるループ状のものであり、例えばマスク本体２の不織布シート５，５と一体的に設けられている。
【００３７】
次に、上記第１の実施の形態の作用効果を説明する。
【００３８】
上記立体型マスク１のマスク本体２を左右に開くと、左右の折り返し片８，８の連接部11が左右から張力を受け、これら張力により折り返し片８，８を立ち上がらせようとする力が作用し、マスク本体２の裏面側に折り返されていた折り返し片８，８が連動してマスク本体２の裏面から上方へと立ち上がる。
【００３９】
このとき、折り返し片８，８は、折り返し片接合部９，９の影響により、接合前の状態のように完全には立ち上がらず、装着者の顔面方向に向かって立ち上がり角度θの傾斜状態で立ち上がることにより、マスク本体２と装着者Ｐとの鼻Ｎの両側部分および頬部分Ｃにおける隙間が閉塞される。
【００４０】
この結果、マスク本体２と装着者Ｐの鼻Ｎの両側部分および頬部分Ｃの密着性を向上でき、マスク本体２と装着者Ｐの鼻Ｎの両側部分および頬部分Ｃの隙間から花粉あるいは塵などのアレルゲン物質が侵入することを防止できるとともに、装着者Ｐが眼鏡Ｇを使用している場合でも、マスク本体２と装着者Ｐの鼻Ｎの両側部分および頬部分Ｃの隙間から呼気が漏れて眼鏡Ｇを曇らせることもなく、かつ、折り返し片８，８はマスク本体２を装着時に左右に開くだけで連動して立ち上がるので、装着者Ｐがマスク本体２の開き動作とは別個に折り返し片８，８を自ら捲り返す手間なども必要なく、煩わしさを感じさせることもないなど、使い勝手が良好になる。
【００４１】
さらには、折り返し片８，８が、マスク本体２を構成する不織布シート５，５の一部により構成されるため、例えば柔軟性を有する金属、スポンジ、あるいは粘着部などの別部材により密着性を向上させる場合などと比較して、装着性が良好であるとともに、立体型マスク１の製造コストが必要以上にかかることもなく、立体型マスク１をそのまま容易に廃棄することもでき、使い捨ての立体型マスク１に適した構成となる。
【００４２】
また、マスク本体２から立ち上がった折り返し片８，８の上縁部がマスク本体２の左右方向中心側に向かって下降傾斜する正面視Ｖ字状であることにより、折り返し片８，８のＶ字の中心部に装着者Ｐの鼻筋を当てるように立体型マスク１を装着すると、折り返し片８，８の上縁部が鼻Ｎの左右の傾斜に沿うため、折り返し片の上縁部をＶ字状としない場合と比較して、装着者Ｐの鼻Ｎの両側部分とマスク本体２との密着性をより向上できる。
【００４３】
さらに、折り返し片８，８は、下端部がマスク本体２に接合されているため、これら折り返し片８，８に力が作用しなければ、これら折り返し片８，８はマスク本体２の裏面に固定される。したがって、マスク本体２を閉じると、折り返し片８，８の連接部11に作用していた左右方向への張力が作用しなくなることで、折り返し片８，８が連動して自動的にマスク本体２の裏面側へと折り返されて収納される。
【００４４】
このため、装着者Ｐが自ら折り返し片８，８をマスク本体２の裏面側に折り返す手間および煩わしさがなく、使い勝手がより向上する。
【００４５】
そして、折り返し片８，８は、非使用状態でマスク本体２の裏面に収納されるため、収納時に折り返し片が外部に露出する場合と比較して、衛生面でも好ましい。
【００４６】
次に、第２の実施の形態を図７を参照して説明する。なお、上記第１の実施の形態と同様の構成および作用については、同一符号を付してその説明を省略する。
【００４７】
この第２の実施の形態は、上記第１の実施の形態の立体型マスク１において、折り返し片８，８の裏面側に、伸縮性を有する弾性部材15，15を配設したものである。
【００４８】
これら弾性部材15は、各折り返し片８の上縁部から若干離間された位置にて、この上縁部に沿って略平行に伸張された状態で配設されている。また、これら弾性部材15は、各折り返し片８の長手方向である左右方向の略中央部に配設されている。
【００４９】
この結果、弾性部材15，15の収縮により、折り返し片８，８の上縁部近傍が左右方向に収縮して襞状に形成されるため、この襞状の折り返し片８，８がマスク本体２から立ち上がり装着者Ｐの鼻Ｎの両側部分（図６）に密着することで、装着者Ｐの鼻Ｎの両側部分への密着性をより向上できる。
【００５０】
次に、第３の実施の形態を図８を参照して説明する。なお、上記各実施の形態と同様の構成および作用については、同一符号を付してその説明を省略する。
【００５１】
この第３の実施の形態は、上記第１の実施の形態において、折り返し片８，８の裏面側に、伸縮性を有する交差弾性部材17，17を配設したものである。
【００５２】
これら交差弾性部材17は、それぞれ各折り目部７と交差して配設されている。ここで、各折り目部７と交差する交差弾性部材17は、一端部が各折り返し片８に他端部がマスク本体２にそれぞれ配設されている構成であれば、その間の部分が各折り目部７を跨いでいても、あるいは各折り目部７に接触して交わっていてもよい。
【００５３】
この結果、交差弾性部材17，17の収縮により、折り返し片８，８の交差弾性部材17，17の取り付け部分が装着者Ｐ（図６）側へと引き付けられ、折り返し片８，８の装着者Ｐの鼻Ｎの両側部分への密着性をより向上できるとともに、マスク本体２を閉じた際に、折り返し片８，８がそれぞれマスク本体２の裏面側へと自動的、かつ、より確実に折り返される。
【００５４】
なお、上記第３の実施の形態を上記第２の実施の形態と組み合わせることも可能である。この場合には、折り返し片８，８がそれぞれマスク本体２の裏面側へと、より確実に折り返される。
【００５５】
また、上記各実施の形態において、折り目部７，７の近傍におけるマスク本体２と折り返し片８，８との折り返し片接合部９，９は、折り目部７，７に沿って折り返し片８，８の長手方向の全長に亘って線状に熱溶着されていると、マスク本体２を左右に開いた際の折り返し片８，８の立ち上がり性が良好であり、最も好ましいが、例えば図９に示すように、接合部の全長W1が、折り返し片８，８の長手方向の全長W2に対して５０％以上であれば、折り返し片８，８は問題なく立ち上がり、５０％未満になると、立ち上がり性が徐々に悪化することが確認された。さらに、折り返し片８，８の連接部11の長さが５ｍｍ未満であると、折り返し片８，８は立ち上がらなくなることが確認され、１０ｍｍ以上とすると立ち上がり性が良好になる。
【００５６】
したがって、折り返し片接合部９，９の全長W1を、折り目部７，７に沿って折り返し片８，８の全長W2に対して少なくとも５０％以上の長さで熱溶着するとともに、連接部11を少なくとも５ｍｍ以上、好ましくは１０ｍｍ以上形成することで、マスク本体２を左右に開いた際に折り返し片８，８を確実に立ち上がらせることができる。
【００５７】
この場合には、折り返し片接合部９，９の長さが５０％以上であれば、折り目部７，７の近傍でこれら折り目部７，７の長手方向の任意の位置に折り返し片接合部９，９を設けても同様の作用効果を奏することができる。
【００５８】
また、図１０に示すように、折り返し片８，８の上縁部を、装着者Ｐの鼻筋から頬部分Ｃまでの凹凸に合わせた曲線状とすることで、装着者Ｐの鼻Ｎの両側部分とマスク本体２との密着性をより向上できる。
【００５９】
さらに、上記各実施の形態では、折り返し片８，８を、マスク本体２と一体である一部分をマスク本体２の裏面側に折り返すことで形成しているが、折り返し片８，８をマスク本体２と別体のシート片とし、このシート片をマスク本体２の上部に接合してマスク本体２の裏面の下方に折り返すように形成しても同様の作用効果を奏することが可能である。すなわち、折り返し片８，８は、必ずしもマスク本体２と初めから一体である必要はなく、マスク本体２と別体であっても構わない。
【００６０】
そして、上記構成以外でも、上記の趣旨に適合し得る範囲において他の様々な構成を選択することが可能である。
【図面の簡単な説明】
【００６１】
【図１】本発明の第１の実施の形態の立体型マスクを示す正面図である。
【図２】同上立体型マスクを示す裏面図である。
【図３】同上立体型マスクを示す図２のＡ−Ａ断面図である。
【図４】同上立体型マスクを示す側面図である。
【図５】同上立体型マスクを示す縦断面図である。
【図６】同上立体型マスクの装着状態を示す正面図である。
【図７】本発明の第２の実施の形態の立体型マスクを示す裏面図である。
【図８】本発明の第３の実施の形態の立体型マスクを示す裏面図である。
【図９】本発明の他の実施の形態の立体型マスクを示す側面図である。
【図１０】本発明のさらに他の実施の形態の立体型マスクの装着状態を示す正面図である。
【符号の説明】
【００６２】
１    立体型マスク
２    マスク本体
３    耳掛け部
５    不織布シート
６    接合部
７    折り目部
８    折り返し片
15    弾性部材
17    交差弾性部材
【図１】
0004570536.tif 000002
【図２】
0004570536.tif 000003
【図３】
0004570536.tif 000004
【図４】
0004570536.tif 000005
【図５】
0004570536.tif 000006
【図６】
0004570536.tif 000007
【図７】
0004570536.tif 000008
【図８】
0004570536.tif 000009
【図９】
0004570536.tif 000010
【図１０】
0004570536.tif 000011